Podtech/llm-jp-corpus-v4-ja_patent huggingface dataset:
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
容器から粉末材料を分配するための計量および分配用密封装置であって、
前記容器に取り付け可能な容器キャップ部材であって、前記容器の内部に面して取り付けられるように構成された第１側と、前記容器の外部に面して取り付けられるように構成された第２側とを有し、計量チャンバが容器キャップ部材の中に配置される容器キャップ部材と、
少なくとも１つの通路をその中に有する第１回転可能ディスク部材であって、前記容器キャップ部材の前記第１側に取り付けられた第１回転可能ディスク部材と、
１つの通路をその中に有する第２回転可能ディスク部材であって、前記容器キャップ部材の前記第２側に取り付けられた第２回転可能ディスク部材と、
前記容器に連結されかつハウジングの中に配置される前記計量および分配用密封装置の２つを有するハウジングとからなり、
前記ディスク部材が回転させられるとき、粉末材料が前記第１ディスク部材の中の前記１つの通路を通って、前記キャップ部材の前記計量チャンバの中に、それから前記第２ディスクの前記通路を通って順次進む計量および分配用密封装置。
【請求項２】
前記第１および第２回転可能ディスク部材が互いに相互連結される請求項１に記載の計量および分配用密封装置。
【請求項３】
前記第２回転可能ディスク部材が駆動軸係合部分を含む請求項２に記載の計量および分配用密封装置。
【請求項４】
前記第１回転可能ディスクがカッタウェイ部分を有する請求項１に記載の計量および分配用密封装置。
【請求項５】
前記キャップ部材が前記容器の相補的なねじに取り付けるためのねじを含む請求項１に記載の計量および分配用密封装置。
【請求項６】
前記第２回転可能ディスク部材が駆動ギアの相補的なギアによる係合用のギアを含む請求項１に記載の計量および分配用密封装置。
【請求項７】
粉末分配用装置であって、
容器に取り付け可能な容器キャップ部材であって、前記容器の内部に面して取り付けられるように構成された第１側と、前記容器の外部に面して取り付けられるように構成された第２側とを有し、計量チャンバが容器キャップ部材の中に配置される容器キャップ部材と、
少なくとも１つの通路をその中に有する第１回転可能ディスク部材であって、前記容器キャップ部材の前記第１側に取り付けられた第１回転可能ディスク部材と、
１つの通路をその中に有する第２回転可能ディスク部材であって、前記容器キャップ部材の前記第２側に取り付けられ、前記第１および第２回転可能ディスク部材が互いに連結され、第２回転可能ディスク部材が駆動軸係合部分を含む第２回転可能ディスク部材と、
前記駆動軸係合部分に連結された駆動軸と、
前記駆動軸に連結された駆動部材と、
前記容器キャップ部材ならびに前記第１および第２回転可能ディスク部材を収納するための入れ物とからなり、
前記ディスク部材が回転させられるとき、粉末材料が前記第１ディスク部材の中の前記１つの通路を通って、前記キャップ部材の前記計量チャンバの中に、それから前記第２ディスクの前記通路を通って順次進む粉末分配用装置。
【請求項８】
前記入れ物が液体入口および液体出口を含む請求項７に記載の粉末分配用装置。
【請求項９】
駆動部材が前記入れ物の中に配置され、前記駆動部材が第２回転可能ディスク部材に動作可能に連結される請求項７に記載の粉末分配用装置。
【請求項１０】
粉末分配用装置であって、
容器に取り付け可能な容器キャップ部材であって、前記容器の内部に面して取り付けられるように構成された第１側と、前記容器の外部に面して取り付けられるように構成された第２側とを有し、計量チャンバが容器キャップ部材の中に配置される容器キャップ部材と、
少なくとも１つの通路をその中に有する第１回転可能ディスク部材であって、前記容器キャップ部材の前記第１側に取り付けられた第１回転可能ディスク部材と、
１つの通路をその中に有する第２回転可能ディスク部材であって、前記容器キャップ部材の前記第２側に取り付けられ、前記第１および第２回転可能ディスク部材が互いに連結され、第２回転可能ディスク部材が駆動軸係合部分を含む第２回転可能ディスク部材と、
前記駆動軸係合部分に連結された駆動軸と、
前記駆動軸に連結された駆動部材と、
前記容器キャップ部材の２つならびに前記第１および第２回転可能ディスク部材ならびに前記第１および第２回転可能ディスク部材に動作可能に接続された駆動モータを囲む入れ物とからなり、
前記ディスク部材が回転させられるとき、粉末材料が前記第１ディスク部材の中の前記１つの通路を通って、前記キャップ部材の前記計量チャンバの中に、それから前記第２ディスクの前記通路を通って順次進む粉末分配用装置。
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
固体支持部材と、
前記固体支持部材に固定された特異的指標と、
前記固体支持部材および前記特異的指標を支持する保持部材と、を含み、
前記固体支持部材および特異的指標は、表面の接触に用いられる液体との接触を容易にすべく配置され、
前記保持部材は、液体と前記固体支持部材との間の接触を容易にすべく配置され、
前記保持部材は、液体を導くことができる構造を備え、
前記固体支持部材および特異的指標は、前記保持部材を介して液体を導くときに液体と前記固体支持部材との間の接触を容易にすべく前記保持部材内に配置されている、
バイオロジカルソイル検出器。
【手続補正２】
【補正対象書類名】明細書
【補正対象項目名】００３６
【補正方法】変更
【補正の内容】
【００３６】
特異的指標に関して、特異的指標として用いるのに適した化合物については、バイオソイルの成分と相互作用して検出可能な反応を生成できる多種多様な材料から選択すればよい。特異的指標を選択するにあたって考慮すべきことのひとつに、洗浄液またはその成分あるいは、内視鏡などの医用装置の手作業での洗浄ステップ時に導入された物質などのバイオロジカルソイル由来ではない他の物質と反応しない指標を選択することがある。個々の化合物を特異的指標ならびに化合物の組み合わせとして用いることができる。好適な特異的指標としては、たとえば、５−ブロモ−４−クロロ−３−インドリルβ−Ｄ−グルコピラノシド；５−ブロモ−４−クロロ−３−インドリルβ−Ｄ−ガラクトピラノシド；５−ブロモ−４−クロロ−３−インドリルホスフェート；５−ブロモ−６−クロロ−３−インドリル−β−Ｄ−グルコピラノシド；５−ブロモ−６−クロロ−３−インドリル−β−Ｄ−ガラクトピラノシド；５−ブロモ−６−クロロ−３−インドリルホスフェート；４−メチルウンベリフェリル−β−Ｄ−グルコピラノシド；４−メチルウンベリフェリル−β−Ｄ−ガラクトピラノシド；４−メチルウンベリフェリル−ホスフェート、エスクリン、オルトフタルジアルデヒド（ＯＰＡ）、米国特許第６，３９５，５６１Ｂ１号明細書、同第６，３０６，５９８Ｂ１号明細書、同第６，２７７，６５２号明細書、同第６，１８３，７２２号明細書、同第６，０８０，４２３号明細書、国際公開第０１／７１３１７号パンフレットに記載されているものなどのポリジアセチレン；クーマシーブリリアントブルー（Ｃｏｏｍａｓｓｉｅ  Ｂｒｉｌｌｉａｎｔ  Ｂｌｕｅ）染料をタンパク質に結合させることをベースにしたブラッドフォード（Ｂｒａｄｆｏｒｄ）試料（ａｓｓａｙ）（イリノイ州ロックフォードのピアースバイオテクノロジーインコーポレイテッド（Ｐｉｅｒｃｅ Ｂｉｏｔｅｃｈｎｏｌｏｇｙ  Ｉｎｃ．）から入手可能）；タンパク質によるリンモリブデン−タングステン混酸発色の還元をベースにしたローリー（Ｌｏｗｒｙ）試料；アルカリ溶液中のタンパク質によるＣｕ＋２の干渉をベースにしたビウレット（Ｂｉｕｒｅｔ）試料；タンパク質の存在下におけるＣｕ＋２イオンのＣｕ＋１への還元を検出するためのビシンコニン酸（ＢＣＡ）（イリノイ州ロックフォードのピアースバイオテクノロジーインコーポレイテッドから入手可能）があげられる。固体支持部材に固定された上記の２以上の組み合わせも本発明の範囲内に企図される。さらに、インドリル官能性指標をニトロブルーテトラゾリウムクロリド（ＮＢＴ）または他の電子受容体と併用する場合、バイオロジカルソイルの存在下では、より一層短時間で発色が起こる。
【手続補正３】
【補正対象書類名】明細書
【補正対象項目名】００４７
【補正方法】変更
【補正の内容】
【００４７】
図１０〜図１３ａは、本発明の検出器における固体支持部材の別の構成を示している。図１０は、保持部材３６４に沿って配置された固体支持部材３６０を示している。固体支持部材３６０は、保持部材３６４から垂直に突出している複数のブリストル状部材３６２で構成される。医用装置のチャネル内のバイオソイルの検出などの用途では、十分な数のこのようなブリストル状部材３６２を設け、固体支持部材３６０をチャネル内に入れたときに実質的にその全面をサンプリングできるようにする。
【手続補正４】
【補正対象書類名】明細書
【補正対象項目名】００５０
【補正方法】変更
【補正の内容】
【００５０】
図１３ａは、三角形に近い形の表面を含む旗形の固体支持部材３９０を有する検出器３８８のもうひとつの構成を示す。固体支持部材３９０は、保持部材３９２に固定され、保持部材に取り付けられた第１のエッジ３９４と、第１のエッジ３９４から離れた第２のエッジ３９６とを含む。第２のエッジ３９６は、第１のエッジ３９４よりも短いため、側面のエッジ３９５および３９７が第１および第２のエッジ３９４と３９６との間に平行ではない状態で延在している。さらに、側面のエッジ３９５と保持部材３９２との間の角度（αで示す）は約４５度で示されている。いくつかの実施形態では、この角度が図示のものとは異なることもあるが、一般には９０度未満、より一般には４５度未満、多くの場合は約２０から約４５度である。この構成では、医用装置内のチャネルのサンプリングに固体支持部材３９０が有用である。固体支持部材３９０と保持部材３９２との間の角度αによって、医用装置のチャネル内に挿入したときなどに固体支持部材３９０を保持部材３９２のまわりに均一に巻き付けやすくなる。また、固体支持部材３９０については、この固体支持部材３９０を保持部材３９２のまわりに巻いた構成にしてもよいことは理解できよう。このような構成では、側面のエッジ３９５と保持部材３９２との間の角度の大きさが、検出器３８８の全体としての性能という点でさほど重要ではなくなる。
【誤訳訂正書】
【提出日】平成20年4月10日(2008.4.10)
【誤訳訂正１】
【訂正対象書類名】特許請求の範囲
【訂正対象項目名】全文
【訂正方法】変更
【訂正の内容】
【特許請求の範囲】
【請求項１】
目標捕捉装置が、
対物レンズ（１１）と、
送信ビーム（１２）を発する電気的にコントロール可能な送信器（１）と、
対物レンズ（１１）を経て目標物（１３）で反射される送信ビーム（１２）の成分を備える測定ビーム（１５）を受信する受信器（２）と、
対物レンズ（１１）の後に設けた画面（２２）または入力表面（５）と、
画面（２２）または入力表面（５）に光伝導的に接続され、入射光に電気的な測定信号を生成する受光素子と、
送信器（１）をコントロールし測定信号を処理するコントロールユニット（９）とを備えた目標捕捉装置において、
目標捕捉装置は、多重反射から生ずる又は多重反射を引き起こすビームの意図的な抑制または減衰をする減衰手段を備えている、
ことを特徴とする目標捕捉装置。
【請求項２】
減衰手段が、受信器（２）の前に設けた少なくとも１つの第１減衰手段を備え、その減衰手段を通るビームの強度を減少させる、ことを特徴とする請求項１記載の目標捕捉装置。
【請求項３】
少なくとも１つの第１減衰手段は、減衰手段を通過するビームの強度を、０．７以下、好ましくは０．５以下、特に好ましくは、０．３以下のファクタで減少させる、ことを特徴とする請求項２記載の目標捕捉装置。
【請求項４】
前記少なくとも１つの減衰手段が、減衰フィルタ（１８）の形式である、ことを特徴とする請求項２又は３記載の目標捕捉装置。
【請求項５】
目標捕捉装置が、対物レンズ（１１）から入る測定ビーム（１５）を偏向する第１偏向手段を備えている、ことを特徴とする請求項２〜４の何れか１項記載の目標捕捉装置。
【請求項６】
少なくとも１つの第１減衰手段を、第１偏向手段と一体化する、ことを特徴とする請求項５記載の目標捕捉装置。
【請求項７】
第１偏向手段が、吸収する立法体のプリズム（１４）またはダイクロイックミラーである、ことを特徴とする請求項６記載の目標捕捉装置。
【請求項８】
減衰手段は、偏向表面（２０）から成り、
偏向表面（２０）は、受信器（２）の入力表面（５）を少なくとも部分的に取り囲み、吸収されない測定ビーム（１５）の入力成分を、主に入射方向から外れる方向に反射する、ことを特徴とする請求項１〜７の何れか１項記載の目標捕捉装置。
【請求項９】
偏向表面（２０）が、漏斗の形状（好ましくは円錐形）を備えている、ことを特徴とする請求項８記載の目標捕捉装置。
【請求項１０】
漏斗は、０．５〜１．５ｍｍの深さで、入力表面（５）は、光ファイバ（４）の端面で形成され、端部（２１）は、距離をおいて漏斗で囲まれている、ことを特徴とする請求項９記載の目標捕捉装置。
【請求項１１】
偏向面（２０）が、吸収するように形成されている、ことを特徴とする請求項８〜１０の何れか１項記載の目標捕捉装置。
【請求項１２】
減衰手段が、送信器の後に設けた少なくとも１つの第２減衰手段を備え、その減衰手段を通るビームの強度を減少させる、ことを特徴とする請求項１〜１１の何れか１項記載の目標捕捉装置。
【請求項１３】
少なくとも１つの第２減衰手段は、そのフィルタを通過するビームの強度を、０．７以下、好ましくは０．５以下、特に好ましくは０．３以下のファクタで減少させる、ことを特徴とする請求項１２記載の目標捕捉装置。
【請求項１４】
前記少なくとも１つの第２の減衰手段が、減衰フィルタ（１９）の形式である、ことを特徴とする請求項１２又は１３記載の目標捕捉装置。
【請求項１５】
目標捕捉装置が、減衰フィルタ（１９）の後にビームスプリッタ（１６）を備え、送信器（１）から出力される基準ビームを偏向する、ことを特徴とする請求項１４記載の目標捕捉装置。
【請求項１６】
目標捕捉装置が、対物レンズ（１１）に向かう送信ビーム（１２）を偏向する第２偏向手段を備えている、ことを特徴とする請求項８１２〜１５の何れか１項記載の目標捕捉装置。
【請求項１７】
少なくとも１つの第２減衰手段を、第２偏向手段と一体化する、ことを特徴とする請求項１６記載の目標捕捉装置。
【請求項１８】
第２偏向手段が、吸収する立法体のプリズムまたはダイクロイックミラー（１０）である、ことを特徴とする請求項１７記載の目標捕捉装置。
【請求項１９】
第１減衰フィルタ（１８）および／または第２減衰フィルタ（１９）を切り替え可能および／または透過が調整可能に形成され、減衰の程度が調整できる、ことを特徴とする請求項４又は１４項記載の目標捕捉装置。
【請求項２０】
第１減衰フィルタ（１８）および／または第２減衰フィルタ（１９）が、全色性または整色性の膜材または整色性に感光するＸ線フィルムの形式、中性フィルタまたはゼラチン灰色フィルタまたは透明膜の形式、スクリーンフィルタ、グレーティングフィルタまたは確率減衰パターンを備えたフィルタのような線構造を備えたガラスの形式である、ことを特徴とする請求項４、１４又は２０項記載の目標捕捉装置。
【誤訳訂正２】
【訂正対象書類名】明細書
【訂正対象項目名】００１４
【訂正方法】変更
【訂正の内容】
【００１４】
多重反射の意図的な減衰に、伝達する光の強度をファクタＡだけ下げる第１減衰フィルタ１８を受信器２の入口表面５の直前に設ける。ファクタＡは、例えば、Ａ≦０．７、好ましくはＡ≦０．５、またはＡ≦０．３でもよい。
【誤訳訂正３】
【訂正対象書類名】明細書
【訂正対象項目名】００２１
【訂正方法】変更
【訂正の内容】
【００２１】
本発明では、反射ビーム成分は、特に減衰フィルタ１８で減衰される。通常のビーム成分、すなわち、目標物１３で１回だけ反射されるビーム成分は、減衰フィルタ１８を通過し、ファクタＡで１回のみ減衰される。一方、入力表面５で反射され、目標物１３で再度反射される成分は、減衰フィルタ１８を３回通過する。すなわちファクタがＡ３となる。ファクタがＡ２以上となり、Ａ＝０．３の場合０．３２≒０．１となり、通常の成分と比較して実質的には完全に抑制している。特に、入力表面５および目標物１３による反射は、各々減衰に関与する。二重に反射する成分は、３回減衰を受けるが、通常成分は１回だけの減衰を受ける。
【手続補正書】
【提出日】平成20年4月3日(2008.4.3)
【手続補正１】
【補正対象書類名】特許請求の範囲
【補正対象項目名】請求項１
【補正方法】変更
【補正の内容】
【請求項１】
エアロゾル容器と、該エアロゾル容器の基部に形状による嵌合によって配置された不透明基部を備えたキャップとを含み、該キャップの内縁部がエアロゾル容器に自動的に締め付けられることを特徴とする、薬剤製品。
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
物体に向かって光を放射する光源と、
第１イメージャと、
前記光源と前記第１イメージャの間に配置された第１ハイブリッドフィルタと、
前記第１イメージャに接続されており、瞳孔が検出された際に警戒信号を生成する第１コントローラと
を有する瞳孔を検出するシステム。
【請求項２】
第２イメージャと、
前記第２イメージャと前記光源の間に配置された第２ハイブリッドフィルタと、
前記第２イメージャに接続された第２コントローラと、
前記第１及び第２コントローラに接続されており、少なくとも１つの三次元画像を生成するステレオコントローラと
を更に有する請求項１に記載のシステム。
【請求項３】
前記第１コントローラに接続されたタイマと、
前記第１コントローラに接続された制御対象装置と、
前記第１コントローラに接続された入力装置と
を更に有する請求項１又は２に記載のシステム。
【請求項４】
前記第１ハイブリッドフィルタは誘電体スタックフィルタを有する請求項１から３のいずれかに記載のシステム。
【請求項５】
前記誘電体スタックフィルタは有色のガラスフィルタを有する請求項４に記載のシステム。
【請求項６】
前記誘電体スタックフィルタは１つにスタックされたＮ個の結合空洞共振器を有しており、Ｎは整数である、請求項４に記載のシステム。
【請求項７】
前記光源は、対象の複数の波長の光を放射する単一の広帯域光源を有する請求項１から６のいずれかに記載のシステム。
【請求項８】
前記光源は、第１波長の光を放射する第１光源と、第２波長の光を放射する第２光源とを有し、前記第１光源は、前記第１イメージャの軸に対して第１角度で配置されており、前記第２光源は、前記第１イメージャの前記軸に対して第２角度で配置されており、前記第２角度は前記第１角度より大きい、請求項１から６のいずれかに記載のイメージングシステム。
【請求項９】
物体から光を受光するステップであって、前記光は、対象の複数の波長において伝播する光を含む、ステップと、
前記対象の波長又はこの近傍において受光された光を弁別すると同時に、すべてのその他の波長において受光された光を遮断するステップと、
それぞれの対象の波長又はこの近傍において受光された光の量を検出し、前記対象の波長又はこの近傍において受光された前記光を使用して１つ又は複数の画像を生成するステップと、
前記１つ又は複数の画像の少なくとも１つが瞳孔を含んでいるかどうかを判定するステップと、
前記画像の中の少なくとも１つが瞳孔を含んでいる際に警戒信号を生成するステップと
を含む、波長に依存した検出方法。
【請求項１０】
前記対象の波長のそれぞれにおいて受光された前記光の量の差を決定するステップを更に含む請求項９に記載の方法。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
標的を定めることができる生検システムであって、
可撓性生検針キットと、
方向転換生検針ガイドと、
画像手段と、
生検を計画し記録する手段とを備え、
組織の特定領域が組織収集のために正確に標的とされ得るようにされる生検システム。
【請求項２】
前記可撓性生検針キットは、拡張した試料ノッチを含む可撓性スタイレットと、可撓性カニューレとから構成される請求項１の生検システム。
【請求項３】
前記スタイレット及びカニューレは、事前に形成した曲がりを伴って製造される請求項１の生検システム。
【請求項４】
前記スタイレットは、可撓性を高めるため、それぞれ異なる特性の材料から成る二つ以上の区域から組み立てられる請求項１の生検システム。
【請求項５】
前記スタイレットの可撓性を高めるため、複数の試料ノッチが用いられる請求項１の生検システム。
【請求項６】
前記試料ノッチの深さは、前記スタイレットの可撓性を高めるために変わる請求項１の生検システム。
【請求項７】
前記方向転換生検針ガイドは、
生検針キットが挿入され得る開口と、
生検針キットの一部がそこを通って出る開口と、
前記生検針ガイドを出た生検針キットの前記一部が生検針ガイドに挿入されていない生検針キットの部分に対して角度が付けられるように、生検針キットを方向転換する手段と、
固定されたままの超音波手段に対して方向転換生検針ガイドを位置決めする手段とから構成される請求項１の生検システム。
【請求項８】
前記方向転換手段は、前記生検針キットが方向転換手段を出る際に再度曲がるように、それまで曲がっていた生検針キットを真っ直ぐにする請求項１の生検システム。
【請求項９】
前記方向転換手段は、前記生検針キットがそこを通って出る前記開口が、生検針キットが挿入される前記開口に対して移動させられ得るように、可動装置から構成される請求項１の生検システム。
【請求項１０】
前記方向転換生検針ガイドは、超音波又は画像システムに加えられるか又は該システムと関連する請求項１の生検システム。
【請求項１１】
前記画像手段は、生検サンプルの位置を記録する請求項１の生検システム。
【請求項１２】
前記画像手段は、該画像手段の画像部分の位置に対する好ましい生検の位置を指定する生検計画を含む請求項１の生検システム。
【請求項１３】
前記方向転換生検針ガイドは、前記生検計画の計画された生検位置と一致する画像の画像部分に対して配置され又は回転させら得る請求項１の生検システム。
【請求項１４】
拡張した試料ノッチを含む可撓性スタイレットと可撓性カニューレとを備えた生検針キット。
【請求項１５】
前記カニューレは、可撓性を高めるため、それぞれ異なる特性の材料から成る二つ以上の区域から組み立てられる請求項１４の生検針キット。
【請求項１６】
前記カニューレは、前記スタイレットの可撓性を高めるために螺旋状にカットされる請求項１４の生検針キット。
【請求項１７】
方向転換生検針ガイドであって、
生検針キットが挿入され得る開口と、
生検針キットの一部がそこを通って出る開口と、
前記生検針ガイドを出た生検針キットの前記一部が生検針ガイドに挿入されていない生検針キットの部分に対して角度が付けられるように、生検針キットを方向転換する手段とを備えた方向転換生検針ガイド。
【請求項１８】
前記生検針ガイドは、超音波又は画像システムに加えられるか又は該システムと関連する請求項１７の方向転換生検針ガイド。
【請求項１９】
前記生検針ガイドは、超音波又は画像システムの画像部分に対して選択的に配置され又は回転させら得る請求項１７の方向転換生検針ガイド。
【請求項２０】
標的医療配送機構であって、
可撓性配送手段と、
可撓性カニューレと、
方向転換カニューレガイドとを備え、
前記カニューレは、組織の特定領域内に挿入可能であり、前記配送手段は、
前記組織の特定領域に対して前記カニューレを通って挿入可能である標的医療配送機構。
【請求項２１】
生検を計画し記録する手段であって、
画像手段が発生させた画像を記録及び表示する手段と、
前記表示された画像上に針画像路情報を投影する手段と、
投影された針路位置を記録する手段と、
実際の針路位置を記録する手段とを備えた生検計画記録手段。
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
流体容器を画定し、開口を有する容器と、
該容器に取り外し可能に取り付けた複式アプリケーター組立品にして、
（ａ）開口を実質的に封止するために構成されたキャップと、
（ｂ）キャップに配置した筆記用先端と、
（ｃ）キャップに結合され、第１端部及び第２端部を有し、第１端部が、筆記用先端と流体容器との間の流体通路に沿って流体を収集し且つ送るようになっている流体経路を含み、第２端部が、中実の円筒部分を有する軸と、
（ｄ）軸の中実の円筒部分に結合したアプリケーターと、を含む複式アプリケーター組立品と、
を含む流体ディスペンサー。
【請求項２】
容器のネック部に結合したワイパー挿入物であって、下端にアプリケーターワイピング面を有するワイパー挿入物を更に含む請求項１に記載の流体ディスペンサー。
【請求項３】
流体経路が、ワイパー挿入物の下端と筆記用先端との間で制限されていない請求項２に記載の流体ディスペンサー。
【請求項４】
縦溝の一部が、ワイパー挿入物の下端を越えて拡張する請求項２に記載の流体ディスペンサー。
【請求項５】
縦溝の一部が、軸の中実の円筒部分に対して少なくとも約２５パーセント縮小した断面領域を有する請求項４に記載の流体ディスペンサー。
【請求項６】
容器が、ねじ切り外面を有するネック部をも備え、キャップが該ねじ切り外面を受容し且つキャップを容器に実質的に封止するための溝を有する内壁を含む請求項１に記載の流体ディスペンサー。
【請求項７】
キャップが複数のスプラインを含み、複式アプリケーター組立品が該複数のスプラインと結合し且つ該複式アプリケーター組立品を取り外すための複数の溝を含む内壁を有する第２キャップをも含む請求項１に記載の流体ディスペンサー。
【請求項８】
第２キャップの内側上面が、筆記用先端を囲むための環状の壁を含む請求項７に記載の流体ディスペンサー。
【請求項９】
筆記用先端が、ボールポイント、ピンバルブ、剛性ニブから成る群から選択される請求項１に記載の流体ディスペンサー。
【請求項１０】
軸の第１端部が、中空の軸部分を含む請求項１に記載の流体ディスペンサー。
【請求項１１】
中空の軸部分が、上端と、下端と、容器の上面に結合するための、前記上端と下端との間に配置したカラーと、を含む請求項１０に記載の流体ディスペンサー。
【請求項１２】
キャップの内側上面が、中空の軸の上端を受容して軸をキャップに結合させるための環状の溝を与える請求項１０に記載の流体ディスペンサー。
【請求項１３】
アプリケーターが、複数のブラシの毛及び泡式アプリケーターから成る群から選択される請求項１に記載の流体ディスペンサー。
【請求項１４】
流体ディスペンサーであって、
流体容器を画定する容器にして、開口を与えるネック部及び該ネック部に結合したワイパー挿入物を含む容器と、
容器に取り外し可能に取り付けられた複式アプリケーター組立品にして、
（ａ）開口を実質的に封止するようになっているキャップと、
（ｂ）キャップから軸線に沿って突出する筆記用先端と、
（ｃ）筆記用先端と流体容器との間の流体経路と、
（ｄ）キャップに結合した軸にして、流体経路に沿って流体を収集し且つ送るようになっている縦溝を含む第１端部と、中実の円筒部分を備えた第２端部と、を含む軸と、
（ｅ）軸に結合したアプリケーターと、を含み、流体経路が軸の少なくとも一部に沿って制限されていない複式アプリケーター組立品と、
を含む流体ディスペンサー。
【請求項１５】
流体経路が、ワイパー挿入物の下端と筆記用先端との間で制限されていない請求項１４に記載の流体ディスペンサー。
【請求項１６】
縦溝の一部が、ワイパー挿入物の下端を越えて拡張する請求項１４に記載の流体ディスペンサー。
【請求項１７】
縦溝の一部が、軸の中実の円筒部分に対して少なくとも約２５パーセント縮小した断面領域を有する請求項１６に記載の流体ディスペンサー。
【請求項１８】
キャップが複数のスプラインを含み、複式アプリケーター組立品が、複数のスプラインと結合するための複数の溝を含む内壁を有する第２キャップを更に含む請求項１４に記載の流体ディスペンサー。
【請求項１９】
第２キャップの内側上面が、筆記用先端を囲むための環状の壁を含む請求項１８に記載の流体ディスペンサー。
【請求項２０】
筆記用先端が、ボールポイント、ピンバルブ、剛性ニブから成る群から選択される請求項１４に記載の流体ディスペンサー。
【請求項２１】
軸が、その第１端部に中空の軸部分を含む請求項１４に記載の流体ディスペンサー。
【請求項２２】
中空の軸部分が、上端と、下端と、容器の上面に結合するための、前記上端と下端との間に配置したカラーと、を含む請求項２１に記載の流体ディスペンサー。
【請求項２３】
キャップの内側上面が、中空の軸部分の上端を受容するための環状の溝を与える請求項２１に記載の流体ディスペンサー。
【請求項２４】
アプリケーターが、複数のブラシの毛及び泡式アプリケーターから成る群から選択される請求項１４に記載の流体ディスペンサー。
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
不整脈事象を識別する医療デバイスであって、
心臓信号を検知する入力回路と、
該検知された心臓信号に関連する事象を、第１不整脈事象として特定するマイクロプロセッサと、
前記第１不整脈事象に応答して、エネルギー蓄積デバイス上に蓄積エネルギーを生成するための、充電回路と該エネルギー蓄積デバイスとの結合とほぼ同時に、第１治療を送出する第１回路と、
該第１回路による前記第１治療の送出を制御する制御回路と
を備え、前記マイクロプロセッサは、前記第１不整脈事象中の間隔パターンが、所定パターンに対応するかどうかを判定し、前記第１治療の送出の前の前記第１不整脈事象中の検知された心臓信号に相当する周期長と、前記第１治療の送出中の検知された心臓信号に相当する周期長との差が、所定閾値以下であるかどうかを判定する、不整脈事象を識別する医療デバイス。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
伸延装置であって、
患者の頭部に取付けるためのハロ組立体と、
長手方向軸線を有する垂直方向中央ロッドと、
中央調節組立体と、を有し、中央調節組立体は、ハロ組立体に取付けるための後部分と、垂直方向中央ロッドに取付けるための前部分とを有し、
更に、垂直方向中央ロッドに結合された少なくとも１つの水平方向交差ピース組立体を有し、少なくとも１つの水平方向交差ピース組立体は、少なくとも１つの伸延要素と、少なくとも１つの骨係合部分とを有し、
中央調節組立体の前部分は、その後部分に対して少なくとも２つの自由度で角度方向に調節されるように構成され、
骨係合部分は、少なくとも１つのフットプレート組立体を有し、少なくとも１つのフットプレート組立体は、少なくとも１つの上顎骨用フットプレート組立体及び少なくとも１つの頬骨用フットプレート組立体からなるグループから選択される、伸延装置。
【請求項２】
中央調節組立体は、２つの角度方向調節機構を有し、一方の角度方向調節機構は、垂直方向中央ロッドの長手方向軸線に対して垂直に延びる軸線を中心とする垂直方向中央ロッドの角度方向調節を行い、他方の角度方向調節機構は、垂直方向中央ロッドの長手方向軸線に対して平行に延びる軸線を中心とする垂直方向中央ロッドの角度方向調節を行う、請求項１に記載の伸延装置。
【請求項３】
ハロ組立体は、更に、Ｕ字形部材を有し、このＵ字形部材は、溝付きの上面を有する一対の取付けプレートと、２つの横部材と、中央結合ハブと、を有し、各横部材は、前記取付けプレートの１つに取付けられ且つ前記溝に摺動可能に係合する鳩尾形状部を有する第１の端部と、中央結合ハブに調整可能に結合される第２の端部とを有する、請求項１に記載の伸延装置。
【請求項４】
骨係合部分は、更に、少なくとも２つのフットプレート組立体を有する、請求項１に記載の伸延装置。
【請求項５】
少なくとも２つのフットプレート組立体は、少なくとも２つの上顎骨用フットプレート組立体及び少なくとも２つの頬骨用フットプレート組立体からなるグループから選択される、請求項４に記載の伸延装置。
【請求項６】
伸延装置であって、
患者の頭部に取付けるためのハロ組立体と、
垂直方向中央ロッドと、
中央調節組立体と、を有し、中央調節組立体は、ハロ組立体に取付けるための後部分と、垂直方向中央ロッドに取付けるための前部分とを有し、前部分は、後部分に対して少なくとも２つの自由度で角度方向に調節されるように構成され、
更に、垂直方向中央ロッドに取付けられた少なくとも１つの水平方向交差ピース組立体を有し、少なくとも１つの水平方向交差ピース組立体は、少なくとも１つの伸延要素と、少なくとも１つの骨係合部分とを有し、
ハロ組立体は、更に、少なくとも１つの取付けプレートと少なくとも１つの横部材とを有し、各横部材は、第１の端部と第２の端部とを有し、第１の端部は、取付けプレートに調節可能に結合され、
ハロ組立体は、更に、Ｕ字形部材を有し、このＵ字形部材は、溝付きの上面を有する一対の取付けプレートと、２つの横部材と、中央結合ハブと、を有し、Ｕ字形部材の各横部材は、前記取付けプレートの１つに取付けられ且つ前記溝に摺動可能に係合する鳩尾形状部を有する第１の端部と、中央結合ハブに調整可能に結合される第２の端部とを有する、伸延装置。
【請求項７】
中央調節組立体は、２つの角度方向調節機構を有し、一方の角度方向調節機構は、垂直方向中央ロッドの長手方向軸線に対して垂直に延びる軸線を中心とする中央調整組立体の後部分に対する前部分の角度方向調節を行い、他方の角度方向調節機構は、垂直方向中央ロッドの長手方向軸線に対して平行に延びる軸線を中心とする中央調整組立体の後部分に対する前部分の角度方向調節を行う、請求項６に記載の伸延装置。
【請求項８】
２つの角度方向調節機構の各々は、少なくとも１つのウォームギア機構を有する、請求項７に記載の伸延装置。
【請求項９】
伸延装置であって、
患者の頭部に取付けるためのハロ組立体と、
垂直方向中央ロッドと、
垂直方向中央ロッドとハロ組立体とを相互に結合するための中央調節組立体と、
垂直方向中央ロッドに取付けられた少なくとも１つの水平方向交差ピース組立体と、を有し、
少なくとも１つの水平方向交差ピースの組立体は、少なくとも１つの伸延要素と、少なくとも１つの骨係合部分と、を有し、少なくとも１つの骨係合部分は、少なくとも１つのフットプレート組立体を有し、少なくとも１つのフットプレート組立体は、少なくとも１つの上顎骨用フットプレート組立体及び少なくとも１つの頬骨用フットプレート組立体からなるグループから選択され、
少なくとも１つの水平方向交差ピース組立体は、更に、中央クランプと、水平方向ロッドと、少なくとも１つの伸延クランプと、を有し、中央クランプは、水平方向ロッドと垂直方向中央ロッドとを互いに結合し、伸延クランプは、水平方向ロッドと伸延要素とを互いに結合し、
伸延クランプは、水平方向交差ピースに取付けられる上ピースと、伸延ネジに係合する孔を有する下ピースとを有し、
上ピース及び下ピースは、下ピース及び伸延ネジが上ピース及び水平方向ロッドに対して回転可能であるように互いに連結される伸延装置。
【請求項１０】
中央調節組立体は、ハロ組立体に対する垂直方向中央ロッドの角度方向調節を許容する少なくとも１つの角度方向調節機構を有する、請求項９に記載の伸延装置。
【請求項１１】
中央調節組立体は、２つの角度方向調節機構を有し、一方の角度方向調節機構は、垂直方向中央ロッドの長手方向軸線に対して垂直に延びる軸線を中心とする垂直方向中央ロッドの角度方向調節を行い、他方の角度方向調節機構は、垂直方向中央ロッドの長手方向軸線に対して平行に延びる軸線を中心とする垂直方向中央ロッドの角度方向調節を行う、請求項９に記載の伸延装置。
【請求項１２】
骨係合部分は、更に、少なくとも２つのフットプレート組立体を有する、請求項９に記載の伸延装置。
【請求項１３】
少なくとも２つのフットプレート組立体は、少なくとも２つの上顎骨用フットプレート組立体及び少なくとも２つの頬骨用フットプレート組立体からなるグループから選択される、請求項１２に記載の伸延装置。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
複数のゲームにゲーム機のプレーヤーの支払金を割り当てる方法であって、
ａ）前記ゲーム機のユーザから支払金を受け付けるステップと、
ｂ）所定のレシオセットの１つに従って前記支払金をいくつかの部分に分割するステップと、
ｃ）前記ゲームの１つに前記支払金の部分の少なくとも１つを割り当てるステップと、
ｄ）前記ユーザによる入力に応答して前記所定のレシオセットから所定のレシオを選択するステップと、
を有することを特徴とする方法。
【請求項２】
請求項１記載の方法であって、
前記ステップｂ）において、前記支払金は２つの部分に分割され、
前記ステップｃ）において、各部分は、各ゲームに割り当てられる、
ことを特徴とする方法。
【請求項３】
請求項１記載の方法であって、
前記レシオセットは、可能なレシオの全範囲から構成されることを特徴とする方法。
【請求項４】
請求項１記載の方法であって、
前記ユーザによる選択に利用可能なレシオセットは、このようなセットのグループから予め選択されることを特徴とする方法。
【請求項５】
請求項１記載の方法であって、
前記ユーザが選択する前記所定のレシオセットは、日時、与えられたゲームのプレイの現在状態、あるゲーム環境内の現在のゲーム活動などの１以上の所定の状態に応じて変更されることを特徴とする方法。
【請求項６】
請求項１記載の方法であって、
前記所定のレシオセットは、ランダム又は擬似ランダムに変更されることを特徴とする方法。
【請求項７】
複数のゲームにゲーム機のプレーヤーの支払金を割り当てる装置であって、
ａ）前記ゲーム機のユーザから支払金を受け付ける受付手段と、
ｂ）所定のレシオセットの１つに従って前記支払金をいくつかの部分に分割する分割手段と、
ｃ）前記ゲームの１つに前記支払金の部分の少なくとも１つを割り当てる割当て手段と、
ｄ）前記ユーザによる入力に応答して前記所定のレシオセットから所定のレシオを選択する選択手段と、
を有することを特徴とする装置。
【請求項８】
請求項７記載の装置であって、
前記分割手段はさらに、前記支払金を２つの部分に分割するよう動作可能であり、
前記割当て手段はさらに、各部分を各ゲームに割り当てるよう動作可能である、
ことを特徴とする装置。
【請求項９】
請求項７記載の装置であって、
前記レシオセットは、可能なレシオの全範囲から構成されることを特徴とする装置。
【請求項１０】
請求項７記載の装置であって、
前記ユーザによる選択に利用可能なレシオセットは、このようなセットのグループから予め選択されることを特徴とする装置。
【請求項１１】
請求項７記載の装置であって、
前記ユーザが選択する前記所定のレシオセットは、日時、与えられたゲームのプレイの現在状態、あるゲーム環境内の現在のゲーム活動などの１以上の所定の状態に応じて変更されることを特徴とする装置。
【請求項１２】
請求項７記載の装置であって、
前記所定のレシオセットは、ランダム又は擬似ランダムに変更されることを特徴とする装置。
【請求項１３】
ゲーム機のユーザが該ユーザの支払金のゲームへの分配を制御することを可能にする装置であって、
可能な分配セットを前記ユーザに示すよう動作可能なディスプレイと、
前記分配の１つの選択を示すよう前記ユーザにより操作可能な少なくとも１つのコントロール手段と、
前記ユーザの選択を前記ゲーム機に通信する通信手段と、
を有することを特徴とする装置。
【請求項１４】
請求項１３記載の装置であって、
前記分配は、複数のゲーム間のものであることを特徴とする装置。
【請求項１５】
請求項１３又は１４記載の装置であって、
前記コントロール手段は、可能な分配の全範囲からある分配を選択するよう動作可能であることを特徴とする装置。
【請求項１６】
請求項１３乃至１５何れか一項記載の装置であって、
前記分配セットは、このようなセットのグループから予め選択されることを特徴とする装置。
【請求項１７】
請求項１６記載の装置であって、
選択のため利用可能な前記セットのグループは、日時、与えられたゲームのプレイの現在状態、あるゲーム環境内の現在のゲーム活動などの１以上の所定の状態に応じて決定されることを特徴とする装置。
【請求項１８】
請求項１３乃至１６何れか一項記載の装置であって、
前記コントロール手段は、前記分配を選択し、各ゲームをスタートするよう動作可能であることを特徴とする装置。
【請求項１９】
請求項１３乃至１８何れか一項記載の装置であって、
前記コントロール手段は、以降のゲームにおける利用のため、与えられたゲームに対する前記選択された分配を保持するよう前記プレーヤーにより操作可能であることを特徴とする装置。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
気道の応答または喘息における気道の変動性を評価する方法であって、以下の工程：
患者の複数の呼吸周期の間に、単一の入力周波数または複数の入力周波数のいずれかを利用する強制振動技術によって抵抗（Ｒｒｓ）変化量を測定する工程；
該患者のＲｒｓの統計学的変動性を計算する工程；および
該患者のＲｒｓの統計学的変動性を、標準曲線と相関させて、該患者の喘息の程度を定量化する工程
を包含する、方法。
【請求項２】
前記Ｒｒｓの統計学的変動性を計算する工程が、Ｒｒｓの標準偏差または高／低Ｒｒｓの測定値の、組み合わせまたはいずれか１つの計算である、請求項１に記載の方法。
【請求項３】
気道直径の変動性を変更することに対する、薬理学的アゴニストまたは薬理学的アンタゴニストの有効性を決定する方法であって、以下の工程：
患者の複数の呼吸周期の間に、複数の入力周波数を利用する強制振動技術によって抵抗（Ｒｒｓ）変化量を測定する工程；
薬理学的アゴニストまたは薬理学的アンタゴニストを投与された患者の複数の呼吸周期の間に、複数の入力周波数を利用する強制振動技術によって抵抗（Ｒｒｓ）変化量を測定する工程；
該最初の２つの工程の各々について、該患者の該Ｒｒｓの統計学的変動性を計算する工程；および
該Ｒｒｓの統計学的変動性を比較して、該薬理学的アゴニストまたは該薬理学的アンタゴニストの有効性を決定する工程
を包含する、方法。
【請求項４】
前記薬理学的アゴニストまたは前記薬理学的アンタゴニストが、気管支拡張剤である、請求項３に記載の方法。
【請求項５】
前記薬理学的アゴニストまたは前記薬理学的アンタゴニストが、気管支収縮剤である、請求項３に記載の方法。
【請求項６】
気道直径の変動性を変えることに対する、薬理学的アゴニストまたは薬理学的アンタゴニストの有効性を決定する方法であって、以下の工程：
該薬理学的アゴニストまたは該薬理学的アンタゴニストの投与前および投与後の両方で、患者の複数の呼吸周期の間に、複数の入力周波数を利用する強制振動技術によってリアクタンス（Ｘｒｓ）の変化量を測定する工程；
該投与前および該投与後の各々について該患者の該Ｘｒｓを計算する工程；および
該Ｘｒｓを比較して、該薬理学的アゴニストまたは該薬理学的アンタゴニストの有効性を決定する工程、
を包含する、方法。
【請求項７】
前記薬理学的アゴニストまたは前記薬理学的アンタゴニストが、気管支拡張剤である、請求項６に記載の方法。
【請求項８】
前記薬理学的アゴニストまたは前記薬理学的アンタゴニストが、気管支収縮剤である、請求項６に記載の方法。
【請求項９】
測定デバイスのインピーダンスが、補正アルゴリズムによって除去される、請求項６に記載の方法。
【請求項１０】
前記薬理学的アゴニストの有効性または前記薬理学的アンタゴニストの有効性が、該薬理学的アゴニストまたは該薬理学的アンタゴニストの、投与前と投与後との間の患者における、Ｒｒｓの標準偏差または高／低Ｒｒｓ測定値またはＸｒｓ測定値の、組み合わせまたはいずれか１つを比較することによって決定される、請求項６に記載の方法。
【請求項１１】
ノイズレベルおよび気道抵抗の変動性の評価に寄与するシグナル対ノイズ比を、圧力振動の各振動周波数に対して決定する工程をさらに包含する、請求項１に記載の方法であって、以下：
圧力シグナルと流量シグナルとの干渉性を得る工程；
複数周期の圧力のフーリエ変換および複数周期の流量のフーリエ変換を得る工程；
各々の振動周波数における該圧力シグナルおよび該流量シグナルの絶対値を得る工程；
任意の振動周波数を含まない該振動周波数付近の周波数領域について、該圧力シグナルおよび該流量シグナルの絶対値の平均を得る工程であって、圧力または流量のいずれかに対するシグナル対ノイズ比は、該ノイズによって除算される該シグナルの比であり、該シグナルは該振動周波数における圧力または流量の大きさとして決定され、該ノイズは任意の振動周波数を含まない該振動周波数付近の周波数領域における該圧力の大きさまたは流量の大きさとして決定される、工程、
を包含する、方法。
【請求項１２】
抵抗（Ｒｒｓ）の変化量のベースライン値、リアクタンス（Ｘｒｓ）における変化量のベースライン値、および抵抗の標準偏差（ＳＤＲｒｓ）のベースライン値、ならびに気管支活動因子に対する応答におけるこれらの値の変化を決定するための方法であって、以下の工程：
（ａ）閉鎖インピーダンス（Ｚｃ）を測定し、そして記憶する工程；
（ｂ）開放インピーダンス（Ｚｏ）を測定し、そして記憶する工程；
（ｃ）ベースラインの被験体インピーダンスＺｍ（ｔ）をいくつかの周期にわたって測定し、そして補正して、Ｚｒｓ（ｔ）を決定する工程；
（ｄ）Ｒｒｓ、ＸｒｓならびにＲｒｓおよびＸｒｓにおける変化量を測定し、そして比較する工程；および
患者に気管支活動因子が投与された後に、
（ｅ）投薬後のインピーダンスＺｍｐを測定し、そして補正して、Ｚｒｓｐを決定する工程；
（ｆ）Ｒｒｓ、Ｘｒｓ、ならびにＲｒｓおよびＸｒｓにおける投薬前および投薬後の変化量を計算する工程；
（ｇ）Ｒｒｓ、Ｘｒｓ、ならびにＲｒｓおよびＸｒｓにおける投薬前および投薬後の変化量の値を、標準値と比較して、該Ｒｒｓ、該Ｘｒｓ、ならびに該ＲｒｓおよびＸｒｓにおける該変化量が、正常であるか、または異常であるかを決定する工程、
を包含する、方法。
【手続補正書】
【提出日】平成20年2月21日(2008.2.21)
【手続補正１】
【補正対象書類名】明細書
【補正対象項目名】００２９
【補正方法】変更
【補正の内容】
【００２９】
その一方で、多孔質の成形材料２（この場合、必然的に透過性である）は拡散器キャップ１４（図１、右中央）を形成することも可能である。このような拡散器キャップは拡散器を保護し、たとえば拡散器キャップが拡散器１０から受取る光のさらなる散乱またはさらなる非光学的機能に備えることも可能である。さらに、拡散器キャップは、当該技術水準から公知であるようにさらに光を伝導する、反らす、遮蔽する、焦点を合わせるまたはフィルタリングする機能に備えてもよい。光学的機能に加えて、拡散器キャップは、必要であれば適切に仕上げられ、機器または機器の一部に相当し得る（図１１および図１２を参照）。
【手続補正２】
【補正対象書類名】明細書
【補正対象項目名】００４０
【補正方法】変更
【補正の内容】
【００４０】
近位光伝導部のために、図２に従う拡散器ブランク１は、特に骨の中の腫瘍または転移の光力学治療のための照明するインプラントとして好適である。そこでは、拡散器ブランク１の長さは、治療されるべき骨の区域の深さに合わせて調節され、エネルギー方向付与器２１を備える表面範囲３０の長さは、治療されるべき骨の区域の大きさに合わせて調節される。拡散器ブランク１は、治療されるべき骨の区域に拡散器ブランク１の遠位端が位置決めされるまで骨の表面から骨に打ち込まれ、このようにして拡散器ブランクは拡散器になる。次いで、光導体端部または光源が拡散器の近位端に取付けられ、治療されるべき骨の区域が照明される。
【手続補正３】
【補正対象書類名】明細書
【補正対象項目名】００５９
【補正方法】変更
【補正の内容】
【００５９】
図１１および図１２は、この発明に従う拡散器１０を示し、これらは他の場所で製造され、機器または機器の一部を構成する拡散器キャップ１４を含む。図１１に示される機器
は軸方向の断面で示されるメスであり、その刃は拡散器キャップ１４であり、つまりこの発明に従う拡散器１０を収容している。拡散器キャップはたとえば透過性のセラミック材料で構成されることができ、多孔質の成形材料の役割を果たす区域においてのみ関連して有利に多孔質であり、特に刃先の区域ではできる限り目が詰まっている。光導体（図示せず）のための結合ポイントは柄６０の領域に位置する。光を拡散器１０の中に結合するために、メスの刃は発光するようになり、それ自体の動作区域を均質に照明することができる。
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
各プレーヤーに一次ゲームを提供し、一次ゲーム情報メッセージを生成するための
複数のユーザー操作可能端末と、
前記一次ゲーム情報メッセージに反応する、前記プレーヤーに対して付随する賞の
あるリンクされた二次ゲームを提供し、該二次ゲームが勝たれたときに三次ゲームト
リガーメッセージを生成するための二次ゲームコントローラと、
前記三次ゲームトリガーメッセージに反応する、二次ゲームに勝ったプレーヤーに
二次ゲームの賞の全部または一部を賭け金として使って三次ゲームをプレイする機会
を提供するための三次ゲームコントローラ、
とを含むことを特徴とする、複数のゲームを提供するためのシステム。
【請求項２】
前記複数のユーザー操作可能端末が、ユーザーが提供された三次ゲームを受諾また
は拒否できるようにするそれぞれの入力装置を含むことを特徴とする、請求項１記載
のシステム。
【請求項３】
前記入力装置が、ユーザーが三次ゲームの賭け金として使われるべき二次ゲームの
賞の割合を指示できるようにするよう適応されていることを特徴とする、請求項２記
載のシステム。
【請求項４】
前記三次ゲームコントローラが、三次ゲームが勝たれたことに反応し、三次ゲーム
をプレイするさらなる機会を提供することを特徴とする、請求項１ないし３のうちい
ずれか一項記載のシステム。
【請求項５】
前記三次ゲームコントローラが、三次ゲームがプレイされた回数を示すカウンタデ
ータを保存するためのメモリおよび三次ゲームがプレイされるたびに該カウンタデー
タをインクリメントするプロセッサを含んでいることを特徴とする、請求項４記載の
システム。
【請求項６】
前記三次ゲームコントローラがさらに、カウンタデータを少なくとも一つの所定の
値と比較するための比較器を含むことを特徴とする、請求項５記載のシステム。
【請求項７】
前記少なくとも一つの所定の値が所定の限界値を含み、前記三次ゲームコントロー
ラは前記カウンタデータが該所定の限界値よりも小さい場合に三次ゲームを提供する
ことを特徴とする、請求項６記載のシステム。
【請求項８】
前記少なくとも一つの所定の値がボーナス賞の値を含んでいて、前記三次ゲームコ
ントローラはカウンタデータがそのボーナス賞の値に等しいときにボーナス賞を授与
することを特徴とする、請求項６または７記載のシステム。
【請求項９】
三次ゲームがその賭け金の倍に等しい賞金をもつことを特徴とする、請求項１ない
し８のうちいずれか一項記載のシステム。
【請求項１０】
各ユーザー操作可能端末について個別の三次ゲームコントローラを含むことを特徴
とする、請求項１ないし９のうちいずれか一項記載のシステム。
【請求項１１】
三次ゲームコントローラがそれぞれのユーザー操作可能端末と同位置にあることを
特徴とする、請求項１０記載のシステム。
【請求項１２】
三次ゲームコントローラが、それぞれのユーザー操作可能端末に取り付けられたそ
れぞれのネットワークカード上に位置していることを特徴とする、請求項１１記載の
システム。
【請求項１３】
二次ゲームがリンクされたジャックポットであることを特徴とする、請求項１ない
し１２のうちいずれか一項記載のシステム。
【請求項１４】
リンクされたジャックポットが時間依存の仕方で授与されることを特徴とする、請
求項１３記載のシステム。
【請求項１５】
リンクされたジャックポットがイベント依存の仕方で授与されることを特徴とする、請求項１３記載のシステム。
【請求項１６】
二次ゲームコントローラが、
所定のジャックポット値および蓄積された賞の値を保存するメモリと、
一次ゲーム情報メッセージに反応して蓄積された賞の値を調整するプロセッサと、
蓄積された賞の値を前記の所定のジャックポット値と比較する比較器とを含み、前記
プロセッサは比較器に反応して、蓄積された賞の値が前記所定のジャックポット値に
達したときに二次ゲームの賞を授与することを特徴とする、請求項１５記載のシステ
ム。
【請求項１７】
一次ゲーム情報メッセージを生成するそれぞれのユーザー操作可能端末のところに
いる複数のプレーヤーに一次ゲームを提供し、
二次ゲームコントローラにおいて、前記一次ゲーム情報メッセージを受け取り、付
随する賞をもつリンクされた二次ゲームを提供することによって前記メッセージに反
応して該二次ゲームが勝たれたときに三次ゲームトリガーメッセージを生成し、
第三のゲームコントローラにおいて、前記三次ゲームトリガーメッセージを受け取
って、二次ゲームに勝ったプレーヤーに二次ゲームの賞の全部または一部を賭け金と
して使って三次ゲームをプレイする機会を提供することによって前記三次ゲームトリ
ガーメッセージに反応する、
ステップを含むことを特徴とする、複数のゲームを提供する方法。
【請求項１８】
二次ゲームがリンクされたジャックポットであることを特徴とする、請求項１７記
載の方法。
【請求項１９】
リンクされたジャックポットを時間依存の仕方で授与することを含むことを特徴と
する、請求項１８記載の方法。
【請求項２０】
リンクされたジャックポットをイベント依存の仕方で授与することを含むことを特
徴とする、請求項１８記載の方法。
【請求項２１】
所定のジャックポット値および蓄積された賞の値を二次ゲームコントローラにおい
て保存し、
一次ゲーム情報メッセージに反応して蓄積された賞の値を調整し、
蓄積された賞の値と前記の所定のジャックポット値とを比較し、
蓄積された賞の値が前記所定のジャックポット値に達したときに二次ゲームの賞を
授与する、
ステップを含むことを特徴とする、請求項２０記載の方法。
【請求項２２】
コンピュータに請求項１７ないし２１のうちのいずれか一項記載の手順を実行させ
るためのプログラム。
【請求項２３】
コンピュータに請求項１７ないし２１のうちのいずれか一項記載の手順を実行させ
るためのプログラムを記録したコンピュータ読み取り可能な記録媒体。